(57)【要約】      （修正有）【課題】レベルワインダーの穴をなくすことにより、穴によるキャスト時の抵抗を減らしたベイトリールを提供する。【解決手段】リールの竿に取り付ける側を下、竿の先端の側を前とすると、スプールよりも前の部分にベルト１を配置する。ベルト１とスプールの間に、ベルト１と平行に棒３を配置する。リトリーブ時の棒３の高さは、棒３がベルト上面の凹凸の凸部の頂点と同じか、もしくは頂点よりも下になるような高さとする。キャスト時、ラインは、棒３と補助棒４の間をおよそ抵抗なく通過していくことができる。棒３を下に下げて、ベルト上面の凸部の頂点よりも下の位置とすることで、ラインを一つの凹部に留めておくことができるようになる。また、棒３に接続してプレートを設けて、そのプレートがベルト１の上面を覆う形とすると、より確実にラインを留め置くことができる。【選択図】図１
0003173231.tif 000002
【実用新案登録請求の範囲】
【請求項１】
ベイトリールのレベルワインダーを、ベルトコンベアーのような形状、すなわち２つの回転ローラーにループ状のベルトを架け渡した形状とし、ベルトの形として、ベルトの外側に凹凸を列ねた波形の形状としたベイトリール。
【請求項２】
ベルトとスプールの間に、ベルトと平行に、スプールの幅程度の長さの棒を配置し、さらに、その棒とベルトとの位置関係について、棒の高さが、ベルト上面の凹凸の凸部の頂点と同じかもしくは頂点よりも下になるような高さとした、請求項１に記載のベイトリール。
【請求項３】
棒の高さを可変とし、二つのポジションを取るようにして、一つのポジションは請求項２に記した高さ、もう一つのポジションは、ベルト上面の凹凸の凸部の頂点よりも上の高さとなるようにした請求項１−２に記載のベイトリール。
【請求項４】
請求項３に記した棒の下に、それと平行にもう一本の棒を設け、この２本の棒は相互に固定的の接続し２本一組として、この２本一組の棒の高さを可変とし、二つのポジションを取るようにして、一つのポジションは、上の棒が請求項２に記した高さとなる位置、もう一つのポジションは、下の棒がベルト上面の凹凸の凸部の頂点よりも上の高さとなるようにした請求項１−３に記載のベイトリール。
【考案の詳細な説明】
【技術分野】
【０００１】  本考案は釣り具のリール、特にベイトリールに関する。
【背景技術】
【０００２】  リトリーブ時とキャスト時で、レベルワインダーのラインを通す穴の大きさが可変であるベイトリールを背景技術とする。
【考案の概要】
【考案が解決しようとする課題】
【０００３】  ベイトリールにおいては、レベルワインダーの穴にラインを通す都合上、その穴が、キャスト時の抵抗となっていた。
【課題を解決するための手段】
【０００４】  本考案においては、レベルワインダーの穴をなくすことにより、穴による抵抗を解消する。レベルワインダーをベルトコンベア状とする。ベルトの外側には凹凸を列ねて、そのベルトと平行に棒を配置して、レベルワインダーの機能を実現する。
【考案の効果】
【０００５】  キャスト時のラインの通り道として、スプールの幅よりも狭い部分がリール上に存在しないことにより、ラインの通過に伴う抵抗をおよそ極限まで低減することができる。結果として、ルアーの飛距離が伸び、同時にレベルワインダーにラインが引っかかることによるバックラッシュをなくすことができる。
【図面の簡単な説明】
【０００６】
【図１】  本考案の斜視図
【図２】  本考案の部分を示す正面図
【考案を実施するための形態】
【０００７】  レベルワインダーを、ベルトコンベアのような形状とする。２つの回転ローラー２にループ状のベルト１を架け渡し、ベルト１の外側は凹凸を列ねた形状とする。使用時には凹凸の山と山の間の谷間をラインが通る形となる。ベルト１と平行かつ近傍に棒３を配置する。棒３は、ラインが谷間から外れることを防ぐ。つまり、凹凸の凹部と棒３とによりラインを通す穴に相当する部分を形成する。そのために棒３は、凹凸の凸部の頂点と同じかそれよりも下にくるような配置とする。棒３はベルト１とスプールとの間に配置する。ベルト１と平行に、そしてベルト１の横に棒３を配置するのが無理のない配置と思われるが、ベルト１の上に棒３が乗るような配置もありうる。
レベルワインダーは、ラインを通す穴の部分が左右への往復運動をすることによりその機能を実現するものであるが、本考案においては、従来のレベルワインダーの往復運動のメカニズムを用いてベルトを動かす。従来のレベルワインダーにおいては、糸を通す穴の部分が左右への往復運動をする部分であったが、その部分をベルトに接続する。そこを接続部５と呼ぶことにすると、その接続部５が左右への往復運動をすることにより、本考案のベルト１は進行方向の反転を繰り返す運動をする。
キャスト時のラインへの抵抗を低減するために、棒３を可動式とする。棒３を上に跳ね上げることにより、ラインはスプールの幅と同等の広さをもつ開口部から摩擦による抵抗がおよそない状態で出て行くことができる。この棒３と平行に、その下側にもう一本の棒を加えることで、キャスト時にラインがベルト３に接触することなどを防止でき、またラインの動く範囲を適度に制限することで、トラブルの回避と、ラインのよりスムースな放出が期待できる。ラインは２本の棒の間を通す。下の棒は、補助的な性質を持つので補助棒４と呼ぶことにする。棒３と補助棒４はその両端で接続するようにする。
棒３のポジションの変化は、クラッチレバーの動きと連動させる。クラッチレバーを押したときに棒３は上に上がり、その状態からハンドルを回してクラッチレバーが戻るときに棒３も下に戻るようにする。メカニズム的には、シーソーのような連結部を介してクラッチレバーと棒３を連動させるなどの方法がある。
キャスト時には棒３は上に上げた状態とし、リトリーブ時には下に下げた状態となる。
キャストしてリトリーブを開始する際に、本考案においては、ベルト１上のどの凹部にラインが通るか不確定である。リトリーブを開始すると、ベルト１が動くことにより、ラインはスプールの幅を超えてさらに外へと動き、さらにベルト１の下側へと巻き込まれる場合もある。それを防ぐために、ガイド６を設ける。図２に示す。図２に示したものについては、ガイド６は棒状でベルト１と平行に、ベルト１の横に設置し、その形状は左右を上に反らせた形状とする。正面から見たときの幅については、スプールよりも幾分か広めであることが良いと思われる。ガイド６の反り上がった部分に沿って、ラインは上に持ち上げられて、ベルト１の凹凸の凸部を乗り越えることとなる。一旦ベルト１が逆方向に動きだすと、その後は、ラインはスプールの幅で往復することとなる。ガイド６は一本ではなくベルト１に沿ってその両脇に配置したほうが、その作用は確実なものとなる。
【実施例】
【０００８】  図１に示す。リールの竿に取り付ける側を下、竿の先端の側を前とすると、スプールよりも前の部分にベルト１を配置する。ベルト１とスプールの間に、ベルト１と平行に棒３を配置する。リトリーブ時の棒３の高さは、棒３がベルト上面の凹凸の凸部の頂点と同じか、もしくは頂点よりも下になるような高さとする。
図１に示した状態は、補助棒４がベルト上面の凸部の頂点よりも上にある図であり、これはキャスト時のポジションを示すものである。ラインは、棒３と補助棒４の間をおよそ抵抗なく通過していくことができる。この状態から、棒３を下に下げて、ベルト上面の凸部の頂点よりも下の位置とすることで、ラインを一つの凹部に留めておくことができるようになる。また、棒３に接続してプレートを設けて、そのプレートがベルト１の上面を覆う形とすると、より確実にラインを留め置くことができる。あるいは、棒３に接続して、棒３と同じ高さとなるような棒を設けて、ベルト１の両側に棒がくるような形とすると、さらに確実である。
図１には、ベルトを駆動する装置は描かれていない。図２に示すように、従来の駆動装置にベルトを接続する部分、すなわち接続部５を設けて、接続部５を左右に動かすことによりベルトを動かす。【０００９】  ベルトの形状について、図１に示したものは模式的にかなり幅広に示されているが、実際の機能を実現するためには、図１に示したほどに幅が広い必要はない。
凹凸の形状についは、様々な形状がありうる。ベルトの上に溝を刻むような形状や、あるいは、細い突起を並べるなどの形状もある。また、その大きさについても、図１に示したものはかなり大きな波型の凹凸であるが、極めて微細、たとえば１ミリ程度の突起としても十分に機能するはずである。
【産業上の利用可能性】
【００１０】  レベルワインダーは、ロープやケーブルなどを巻取る際にも用いられるものと思われるので、本考案のレベルワインダーの形状を大型化して、工場などで用いる利用可能性もあるかもしれない。
【符号の説明】
【００１１】１  ベルト
２  回転ローラー
３  棒
４  補助棒
５  接続部
６  ガイド
【図１】
0003173231.tif 000003
【図２】
0003173231.tif 000004
【手続補正書】
【提出日】平成23年8月9日(2011.8.9)
【手続補正１】
【補正対象書類名】実用新案登録請求の範囲
【補正対象項目名】請求項３
【補正方法】変更
【補正の内容】
【請求項３】
棒の高さを可変とし、二つのポジションを取るようにして、一つのポジションは請求項２に記した高さ、もう一つのポジションは、ベルト上面の凹凸の凸部の頂点よりも上の高さとなるようにした請求項１または請求項２記載のベイトリール。
【手続補正２】
【補正対象書類名】実用新案登録請求の範囲
【補正対象項目名】請求項４
【補正方法】変更
【補正の内容】
【請求項４】
請求項３に記した棒の下に、それと平行にもう一本の棒を設け、この２本の棒は相互に固定的の接続し２本一組として、この２本一組の棒の高さを可変とし、二つのポジションを取るようにして、一つのポジションは、上の棒が請求項２に記した高さとなる位置、もう一つのポジションは、下の棒がベルト上面の凹凸の凸部の頂点よりも上の高さとなるようにした請求項１〜３のいずれか一項に記載のベイトリール。
【手続補正書】
【提出日】平成23年11月4日(2011.11.4)
【手続補正１】
【補正対象書類名】実用新案登録請求の範囲
【補正対象項目名】請求項３
【補正方法】変更
【補正の内容】
【請求項３】
棒の高さを可変とし、二つのポジションを取るようにして、一つのポジションは前記棒の高さ、もう一つのポジションは、ベルト上面の凹凸の凸部の頂点よりも上の高さとなるようにした請求項２に記載のベイトリール。
【手続補正２】
【補正対象書類名】実用新案登録請求の範囲
【補正対象項目名】請求項４
【補正方法】変更
【補正の内容】
【請求項４】
前記棒の下に、それと平行にもう一本の棒を設け、この２本の棒は相互に固定的の接続し２本一組として、この２本一組の棒の高さを可変とし、二つのポジションを取るようにして、一つのポジションは、上の棒が前記棒の高さとなる位置、もう一つのポジションは、下の棒がベルト上面の凹凸の凸部の頂点よりも上の高さとなるようにした請求項３に記載のベイトリール。